【事件の表示】
　平成１０年特許願第１８６６８５号「オブジェクト選択装置および記録媒体」拒絶査定不服審判事件〔平成１２年　１月２１日出願公開、特開２０００−　２０７４１〕について、次のとおり審決する。
【結　論】
　本件審判の請求は、成り立たない。
【理　由】
１．手続きの経緯
　本願は、平成１０年７月１日に出願され、平成１６年５月１７日付けで拒絶査定がなされ、これに対して平成１６年６月１７日に拒絶査定不服審判が請求されたものである。
　
２．本願発明
　本願特許請求の範囲の請求項１〜６に係る発明は、平成１６年３月１７日付けの手続補正により補正された明細書及び図面の記載からみてその特許請求の範囲の請求項１〜６に記載されたとおりのものと認められるところ、請求項１に係る発明（以下、「本願発明」という。）は、次のとおりのものである。
　
　「【請求項１】画面上でオブジェクトを選択するオブジェクト選択装置において、
　画面上に表示された複数のオブジェクトのうちから、指定された属性のオブジェクトを選択可能状態にする手段と、
　上記選択可能状態にされたオブジェクトのうちから１つを選択する手段とを備えたことを特徴とするオブジェクト選択装置。」
　
２．引用刊行物
　これに対して、原審が拒絶の理由で引用した特開平６−２１５０９１号公報（平成６年８月５日出願公開）（以下、「引用例１」という。）には、図面と共に次の各記載がある。
　
（ア）「【０００１】
【産業上の利用分野】本発明は、表示画面上図形編集処理を実行可能な図形情報処理方法および図形情報処理装置に関するものである。
（中略）
【０００６】
【発明が解決しようとする課題】しかしながら、従来の図形情報処理装置は上記のように構成されているので、例えば
目的の図形が他の図形と複雑に交差しているような状態の場合には、他の図形が邪魔となって目的の図形を指示することが困難
（中略）
【０００８】本発明は、上記の問題点を解決するためになされたもので、
図形を指示する場合に、所望の図形が持っている図形属性も合せて指定することにより、明確に所望の図形を判別できるとともに、編集種別を明確に判別できる図形情報処理方法および図形情報処理装置を提供する
【０００９】
【課題を解決するための手段】
本発明に係る第１の図形情報処理方法は、幾重にも重なり合いながら表示手段に表示される複数の図形に対するカーソル指示状態および前記図形に対する所望の図形属性指示状態に基づいて表示手段に表示されている所望の対象図形を特定する
（中略）
【００１４】
【作用】本発明に係る第１の図形情報処理方法においては、幾重にも重なり合いながら表示手段に表示される複数の図形に対するカーソル指示状態および前記図形に対する
所望の図形属性指示状態に基づいて表示手段に表示されている所望の対象図形を特定するので、幾重にも重なり合いながら表示手段に表示される複数の図形から所望の図形のみを特定することが可能となる
【００１５】本発明に係る第１の図形情報処理装置においては、発生手段により発生された図形情報が記憶手段に記憶されて表示手段に表示された状態の下で、指示手段により表示手段に表示されている
所望の図形が前記図形属性とともにカーソル指示されると、指示された所望の図形および図形属性の指示状態に基づいて特定手段が表示手段に表示されている対象図形を特定するので、幾重にも重なり合いながら表示手段に表示される複数の図形から所望の図形のみを特定
【００１６】本発明に係る第２の図形情報処理装置においては、特定手段は、指示手段により指示された所望の図形および図形属性の指示状態に基づいて前記表示手段に表示されている
対象図形を同時に複数特定するので、幾重にも重なり合いながら表示手段に表示される複数の図形中から選択した図形を一括して編集する
　なお、下線は審決において附された。以下、同様。
　
（イ）「【００２４】今、オペレ−タが所望する図形に対して編集操作を行う場合、図４に示すように、処理の指示をするメニューより編集アイコン４０をクリックすることにより編集が開始される。この時、図２に示すような図形情報が単一の場合には編集対象の図形３１は簡単に指示できるので、単にカーソル３０でクリックするだけで指示は完了する。しかしながら、図３に示すように、図形３１に隣接して複数の図形属性の異なる図形３２ａ〜３２ｂが複雑に交差しているような状態の場合には、容易に所望とする図形、この場合には図形３１を指示することができないので、画面上部にある、例えば図５に示すようなメニューバー５０の属性アイテム５１をクリックする。これにより、図６に示すようなプルダウンメニュー６０がＣＲＴ１１に表示される。このプルダウンメニュー６０は、アイテム６０ａ〜６０ｄがあり、それぞれこの順に線種，線幅，面種，図形のアイテムに対応し、これらのアイテム６０ａ〜６０ｄのいずれかをクリックすると、図７〜図１０の各（ａ）に示す細項目属性を選択するためのサブメニューがＣＲＴ１１に表示される。そして、各細項目属性をポインティングデバイス１６の操作でクリックすると、選択された各細項目属性が反転表示され、かつ選択状態を示すチェックマーク８０〜８３（図７〜図１０の各（ｂ）参照）が付加表示される。
【００２５】このようにして、図形属性の選択が終了すると、サブメニューは画面上から消えて、図１１に示すプルダウンメニュー６０表示に戻る。この時、図形属性で選択された各項目には、上記同様のチェックマーク９０が付加されて表示される。このチェックマーク９０が付加された項目をもう一度クリックすると、その項目の属性指定がキャンセルされ、それを意味するためにチェックマークの付加表示もなくなる。この項目は複数同時に選択することも可能であり、その場合は全ての選択された属性と等しいものを指示する指定になる。また、選択された項目が１つもない（チェックマークの付加されている項目がない）場合には、属性での指示指定がない状態を表わす。以下、図３に示すような領域にある図形３１を指示する場合、その領域では破線の属性をもつ図形は１つしか存在しない状態なので、編集属性の線種を「破線」にし、カーソル３０で図形３１の付近をクリックすると、図形３１だけが指示されることになる。」
　
（ウ）「【００２６】以下、図１２〜図２３に示すフローチャートを参照して本発明に係る図形情報処理装置における第１の図形情報処理動作について説明する。
【００２７】図１２〜図２３は本発明に係る図形情報処理装置における第１の図形情報処理手順の一例を示すフローチャートである。なお、 (1)〜(86)は各ステップを示す。また、各ステップに対応する制御プログラムは図１に示したＲＯＭ１８に記憶されている。さらに、図１に示したＣＲＴ１１には、既に図３に示した図形が描画されている状態であるものとし、図形データの入力処理，図形データファイルの読込み処理等は実行しない場合を想定するものとする。
【００２８】先ず、開始 (1)後、ステップ (2)で処理の過程を制御するフラグｐｈａｓｅの初期値を「０」とし、ステップ (2)では属性の線種フラグｓｅｎｓｈｕを「０」にする。なお、線種フラグｓｅｎｓｈｕが「０」の場合は、属性指定がないことを表わし、線種フラグｓｅｎｓｈｕが「１」〜「６」が図９に示した線種に対応する。
【００２９】次いで、ステップ (3)では属性の線幅のフラグｓｅｎｈａｂａを「０」にする。なお、線幅のフラグｓｅｎｈａｂａが「１」〜「７」が図８に示した線幅に対応する。
【００３０】次いで、ステップ (5)では、属性の面種フラグｍｅｎｓｈｕを「０」にする。なお、面種フラグｍｅｎｓｈｕが「０」の場合は、属性指定がないことを表わし、面種フラグｍｅｎｓｈｕが「１」〜「７」が図１０に示した面種に対応する。次いで、ステップ (6)では、属性の図形フラグｚｕｋｅｉを「０」にする。なお、図形フラグｚｕｋｅｉが「０」の場合は、属性指定がないことを表わし、フラ
グｚｕｋｅｉが「１」〜「５」が図１１に示した図形に対応する。
【００３１】次いで、ステップ (7)で、ポインティングデバイス１６がクリックされたかどうかを判定する。クリックされていない場合には、クリックされるまでステップ (7)を繰り返す。クリックされた場合は、ステップ (8)に進み、フラグｐｈａｓｅ＝０をチェックする。この時、フラグｐｈａｓｅが「０」でない場合には、ステップ (11) に進む。フラグｐｈａｓｅが「０」の場合には、図４に表したメニューの編集アイコン４０でクリックされたかチェックする。そうでない場合には、ステップ (7)に戻る。編集アイコンでクリックされた場合には、ステップ (10) に進み、フラグｐｈａｓｅを１にセットし、ステップ (7)に戻る。ステップ (11) では選択する図形上でポインティングデバイス１６がクリックされたかどうかをチェックする。図形上でない場合には、ステップ (22) に進み、図形上でクリックされた場合にはステップ (12) に進む。
【００３２】ステップ (12) ではフラグｓｅｎｓｈｕをチェックする。フラグｓｅｎｓｈｕが「０」の場合には次の属性をチェックするためにステップ (14) に進み、フラグｓｅｎｓｈｕが「０」の場合には次の属性をチェックするためにステップ (144)に進み、フラグｓｅｎｓｈｕが「０」でない場合にはステップ (13) に進む。ステップ (13) ではフラグｓｅｎｓｈｕの値とクリックされた図形の線種を比較し、等しくない場合には属性指定に一致していないことになりステップ (7)に戻る。等しい場合には、次の属性をチェックするためにステップ (14) に進む。ステップ (14) ではフラグｓｅｎｈａｂａをチェックする。フラグｓｅｎｈａｂａが「０」の場合には次の属性をチェックするために (16) に進み、フラグｓｅｎｈａｂａが「０」でない場合にはステップ (15) に進む。ステップ (15) ではフラグｓｅｎｈａｂａの値とクリックされた図形の線幅を比較し、等しくない場合には属性指定に一致していないことになりステップ (7)に戻る。等しい場合には次の属性をチェックするためにステップ (16) に進む。ステップ (16) ではフラグｍｅｎｓｈｕをチェックする。フラグｍｅｎｓｈｕが「０」の場合には、次の属性をチェックするためにステップ (18) に進み、フラグｍｅｎｓｈｕが「０」でない場合には、ステップ (17) に進む。ステップ (17) ではフラグｍｅｎｓｈｕの値とクリックされた図形の面種を比較し、等しくない場合には属性指定に一致していないことになりステップ (7)に戻る。等しい場合には、次の属性をチェックするためにステップ (16) に進む。ステップ (16) ではフラグｍｅｎｓｈｕをチェックする。フラグｍｅｎｓｈｕが「０」の場合には、次の属性をチェックするためにステップ (18) に進み、フラグｍｅｎｓｈｕが「０」でない場合にはステップ (17) に進む。ステップ (17) ではフラグｍｅｎｓｈｕの値とクリックされた図形の面積を比較し、等しくない場合には属性指定に一致していないことになりステップ (7)に戻る。等しい場合には次の属性をチェックするためのにステップ (18) に進む。ステップ (18) ではフラグｚｕｋｅｉをチェックする。フラグｚｕｋｅｉが「０」の場合にはステップ (20) に進み、フラグｚｕｋｅｉが「０」でない場合にはステップ (19) に進む。ステップ (19) ではフラグｚｕｋｅｉの値とクリックされた図形の種類を比較し、等しくない場合には属性指定に一致していないことになりステップ (7)に戻る。等しい場合には、次の属性をチェックするためにステップ (16) に進む。ステップ (16) ではフラグｍｅｎｓｈｕをチェックする。フラグｍｅｎｓｈｕが「０」の場合には、次の属性をチェックするためにステップ (18) に進み、フラグｍｅｎｓｈｕが「０」でない場合にはステップ (17) に進む。ステップ (17) ではフラグｍｅｎｓｈｕの値とクリックされた図形の面種を比較し、等しくない場合には属性指定に一致していないことになりステップ (7)に戻る。等しい場合には、次の属性をチェックするためにステップ (18) に進む。ステップ (18) ではフラグｚｕｋｅｉをチェックする。フラグｚｕｋｅｉが「０」の場合にはステップ (20) に進み、フラグｚｕｋｅｉが「０」でない場合にはステップ (19) に進む。ステップ (19) ではフラグｚｕｋｅｉの値とクリックされた図形の種類を比較し、等しくない場合には属性指定に一致していないこととなりステップ (7)に戻る。等しい場合にはステップ (20) に進む。全てのチェックで一致するとステップ (20) に進んでくるので、ここでは操作の補助をしてきたプルダウンメニュー，サブメニューが、表示されていたならばそれの表示を止め、ステップ (21) ではクリックされた図形を選択し終了する。
【００３３】ステップ (22) ではフラグｐｈａｓｅをチェックする。フラグｐｈａｓｅの値により以下のステップに分岐する。すなわち、フラグｐｈａｓｅが「１」の場合にはステップ (23) へ分岐し、フラグｐｈａｓｅが「２」の場合にはステップ (27) へ分岐し、フラグｐｈａｓｅが「３」の場合にはステップ (51) へ分岐し、フラグｐｈａｓｅが「４」の場合にはステップ (60) へ分岐し、フラグｐｈａｓｅが「５」の場合にはステップ (69) へ分岐し、フラグｐｈａｓｅが「６」の場合にはステップ (78) へ分岐する。
【００３４】ステップ (22) の判定でフラグｐｈａｓｅが「１」の場合にはステップ (23) へ分岐し、クリックされたのがメニューバーかどうかチェックする。メニューバーでない場合にはステップ (7)に戻る。メニューバーでの場合にはステップ (21) に進み、図５に示す属性アイテム５１がクリックされたかどうかをチェックする。属性アイテムでない場合にはステップ (7)に戻る。属性アイテムがクリックされた場合にはステップ (25) に進み、図６に示すプルダウンメニュー６０を表示しステップ (26) に進む。ステップ (26) ではフラグｐｈａｓｅをプルダウンメニューが表示されている状態を表わす「２」に設定してステップ (7)に戻る。
【００３５】ステップ (22) の判定でフラグｐｈａｓｅが「２」の場合にはステップ (27) へ分岐し、プルダウンメニューがクリックされたかどうかをチェックする。プルダウンメニュー６０でクリックされた場合にはステップ (30) に進み、そうでない場合には一連の処理順と違う処理が行われる可能性があるので処理を戻すためにステップ (28) に進む。ステップ (28) ではフラグｐｈａｓｅの値を「１」に戻し、ステップ (29) では表示してあったプルダウンメニューの表示を中止しステップ (23) に進む。
【００３６】ステップ (30) ではプルダウンメニューの線種項目がクリックされたかをチェックする。クリックされていない場合にはステップ (35) に進み、クリックされた場合にはステップ (31) に進む。ステップ (31) ではフラグｐｈａｓｅを「３」に設定し、ステップ (32) に進む。ステップ (32) では図８の（ａ）に示す線種のサブメニューを表示しステップ (33) に進む。ステップ (33) ではフラグｓｅｎｓｈｕをチェックする。フラグｓｅｎｓｈｕが「０」の場合には属性指定がまだされていないのでステップ (7)に戻る。フラグｓｅｎｓｈｕが「０」でない場合には既に設定されているのでステップ (34) でステップ (32) で表示したメニューに図８の（ｂ）に示すようにフラグｓｅｎｓｈｕに対応した線種にチェックマークを付加し、ステップ (7)に戻る。ステップ (35) ではプルダウンメニューの線幅項目がクリックされたかをチェックする。クリックされていない場合にはステップ (41) に進み、クリックされた場合にはステップ (37) に進む。ステップ (37) ではフラグｐｈａｓｅを「４」に設定し、ステップ (38) に進む。ステップ (38) では図８に示す線幅のサブメニューを表示しステップ (39) に進む。ステップ (39) ではフラグｓｅｎｈａｂａをチェックする。フラグｓｅｎｈａｂａが「０」の場合には属性指定がまだされていないのでステップ (7)に戻る。フラグｓｅｎｈａｂａが「０」でない場合には既に設定されているのでステップ (40) でステップ (38) で表示したメニューに図７の（ｂ）に示すようにフラグｓｅｎｈａｂａに対応した線幅にチェックマークを付加してステップ (7)に戻る。
【００３７】ステップ (41) ではプルダウンメニュー６０の面種項目がクリックされたかをチェックする。クリックされていない場合にはステップ (46) に進み、クリックされた場合にはステップ (42) に進む。ステップ (42) ではフラグｐｈａｓｅを「５」に設定し、ステップ (43) に進む。ステップ (43) では図９の（ａ）に示す面種のサブメニューを表示しステップ (44) に進む。ステップ (44) ではフラグｍｅｎｓｈｕが「０」の場合には属性指定がまだされていないのでステップ (7)に戻る。フラグｍｅｎｓｈｕが「０」でない場合には既に設定されているのでステップ (45) でステップ (43) で表示したメニューに図９の（ｂ）に示すようにフラグｍｅｎｓｈｕに対応した面種にチェックマーク８２を付加し、ステップ (7)に戻る。
【００３８】ステップ (46) ではプルダウンメニュー６０の図形項目がクリックされたかどうかをチェックする。クリックされていない場合にはステップ (7)に戻り、クリックされた場合にはステップ (47) に進む。ステップ (47) ではフラグｐｈａｓｅを「６」に設定し、ステップ (48) に進む。ステップ (48) では図１０の（ａ）に示す図形のサブメニューを表示しステップ (49) に進む。ステップ (49) ではフラグｚｕｋｅｉをチェックする。フラグｚｕｋｅｉが「０」の場合には属性指定がまだされていないのでステップ (7)に戻る。フラグｚｕｋｅｉが「０」でない場合には既に設定されているのでステップ (50) でステップ (48) で表示したメニューに図１０の（ｂ）に示すようにフラグｚｕｋｅｉに対応した図形にチェックマーク８３を付加し、ステップ (7)に戻る。
【００３９】ステップ (51) では線種のサブメニューがクリックされたかをチェックし、クリックされた場合にはステップ (56) に進み、クリックされなかった場合には一連の処理順と違う処理が行われる可能性があるので処理を戻すためにステップ (52) へ進む。ステップ (52) ではメニューバーが押下されたかどうかをチェックする。メニューバーでないときはステップ (53) に進み、フラグｐｈａｓｅを「２」に設定し直しステップ (55) に進む。メニューバーのときはステップ (54) に進みフラグｐｈａｓｅを「１」に設定しステップ (55) に進む。ステップ (55) では線種のサブメニューの表示を止めステップ (11) に進む。ステップ (56) ではフラグｓｅｎｓｈｕにクリックされた線種の番号をセットし、ステップ (57) に進む。ステップ (57) では線種のサブメニューの表示を止め、ステップ (58) に進む。ステップ (58) では図１１に示すようにプルダウンメニューの線種の部分にチェックマーク９０を付けステップ (68) に進む。ステップ (68) ではフラグｐｈａｓｅを「２」に設定しステップ (7)に戻る。
【００４０】ステップ (60) では線幅のサブメニューがクリックされたかをチェックし、クリックされた場合にはステップ (65) に進み、クリックされなかった場合には一連の処理順と違う処理が行われる可能性があるので処理を戻すためにステップ (61) へ進む。ステップ (52) ではメニューバーが指示されたかどうかをチェックする。メニューバーでない時は、ステップ (62) に進み、フラグｐｈａｓｅを「２」に設定し直し、ステップ (64) に進む。メニューバーの時は、ステップ (63) に進み、フラグｐｈａｓｅを「１」に設定し、ステップ (64) に進む。ステップ (64) では線種のサブメニューの表示を止めステップ (11) に戻る。ステップ (65) ではフラグｓｅｎｈａｂａにクリックされた線種の番号をセットし、ステップ (66) に進む。ステップ (66) では線幅のサブメニューの表示を止め、ステップ (67) に進む。ステップ (67) では図１１に示すようにプルダウンメニューの線幅の部分にチェックマーク９０を付け（図中では線種になっているが線幅の箇所にチェックマークが付加される）ステップ (68) に進む。ステップ (68) ではフラグｐｈａｓｅを「２」に設定しステップ (7)に戻る。
【００４１】ステップ (69) では線種のサブメニューがクリックされたかをチェックし、クリックされた場合にはステップ (74) に進み、クリックされなかった場合には一連の処理順と違う処理が行われる可能性があるので処理を戻すためにステップ (70) へ進む。ステップ (70) ではメニューバーが押下されたかどうかをチェックする。メニューバーでないときはステップ (71) に進み、フラグｐｈａｓｅを「２」に設定し直しステップ (73) に進む。メニューバーのときはステップ (72)に進み、フラグｐｈａｓｅを「１」に設定しステップ (73) に進む。ステップ (73) では線種のサブメニューの表示を止めステップ (11) に進む。ステップ (74) ではフラグｍｅｎｓｈｕにクリックされた線種の番号をセットし、ステップ (75) に進む。ステップ (75) では面種のサブメニューの表示を止め、ステップ (76) に進む。ステップ (76) では図１１に示したようにプルダウンメニュー６０の面種の部分にチェックマーク９０を付け（図中では線種になっているが面種の箇所にチェックマーク９０が付加される）ステップＳ７７に進む。ステップ (77) ではフラグｐｈａｓｅに設定しステップ (7)に戻る。
【００４２】ステップ (78) では図形のサブメニューがクリックされたかどうかをチェックし、クリックされた場合にはステップ (83) に進み、クリックされなかった場合には一連の処理順と違う処理が行われる可能性があるので処理を戻すためステップ (79) へ進む。ステップ (79) ではメニューバーが押下されたかどうかをチェックする。メニューバーでないときはステップ (80) に進み、フラグｐｈａｓｅを「２」に設定し直しステップ (82) に進む。メニューバーのときは、ステップ (81) に進みフラグｐｈａｓｅを「１」に設定しステップ (82) に進む。ステップ (82) では図形のサブメニューの表示を止めステップ (11) に進む。ステップ (83) ではフラグｚｕｋｅｉにクリックされた図形の番号をセットし、ステップ (84) に進む。ステップ (84) では線種のサブメニューの表示を止め、ステップ (85) に進む。ステップ (85) では図１１に示したようにプルダウンメニューの図形の部分にチェックマーク９０を付け（図中では線種になっているが図形の箇所にチェックマーク９０が付加される）ステップ (86) に進む。ステップ (86) ではフラグｐｈａｓｅを「２」に設定し、ステップ (7)に戻る。
【００４３】これにより、
幾重にも重なり合いながら表示手段に表示される複数の図形に対するカーソル指示状態および前記図形に対する所望の図形属性指示状態に基づいて表示手段に表示されている所望の対象図形を特定することが可能となる
【００４４】なお、上記実施例では属性の指定操作をポインティングデバイス１６で図形をクリックすることに実行する場合について説明したが、図２４に示すように属性を選択しておいて、ポインティングデバイス１６のドラッグで領域内のすべての図形を選択するようにすると、その領域内で指定属性と一致したものだけが選択されるように構成しても良い。」
　
（エ）「【００５８】
【発明の効果】以上説明したように、
本発明に係る第１の図形情報処理方法は、幾重にも重なり合いながら表示手段に表示される複数の図形に対するカーソル指示状態および前記図形に対する所望の図形属性指示状態に基づいて表示手段に表示されている所望の対象図形を特定する
幾重にも重なり合いながら表示手段に表示される複数の図形から所望の図形のみを特定する
【００５９】
本発明に係る第１の図形情報処理装置は
指示手段により表示手段に表示されている所望の図形が前記図形属性とともにカーソル指示されると、指示された所望の図形および図形属性の指示状態に基づいて特定手段が表示手段に表示されている対象図形を特定する
幾重にも重なり合いながら表示手段に表示される複数の図形から所望の図形のみを特定
【００６０】
本発明に係る第２の図形情報処理装置は、特定手段は、指示手段により指示された所望の図形および図形属性の指示状態に基づいて前記表示手段に表示されている対象図形を同時に複数特定する
幾重にも重なり合いながら表示手段に表示される複数の図形中から選択した図形を一括して編集を行う
【００６１】本発明に係る第２の図形情報処理方法においては、表示手段に表示される複数の図形に対するカーソル指示状態および前記図形に対する編集処理モード指定入力状態に基づいて指示された図形に対する編集種別を特定するように構成したので、表示されている図形状態に関わらず所望の編集種別を特定することができる。
【００６２】本発明に係る第３の図形情報処理装置においては、発生手段により発生された図形情報が記憶手段に記憶されて表示手段に表示された状態の下で、表示手段に表示される図形が指示手段によりカーソル指示された際に入力手段から入力される編集処理モード指定状態を監視しながら特定手段が指示された図形に対する編集種別を特定すると、編集手段が特定された編集種別に基づいて指示されている前記図形を編集するように構成したので、カーソル指示した図形に対する編集種別を確定しながら所望の図形編集を実行することができる。
【００６３】従って、幾重にも重なり合いながら表示される複数の図形中から所望の図形を判別できるとともに、編集状態の図形形状に関わらず図形に対する変更または変形とを確実に判別できるので、効率よく図形を編集することができる等の優れた効果を奏する。」
　
　以上の記載からみて、引用例１には、次のような発明が記載されているものと認められる。
　「オペレータが所望する図形に対して編集操作を行う場合、メニューより編集アイコン４０をクリックすることにより編集が開始されるが、例えば、図形３１に隣接して複数の属性の異なる図形３２ａ〜３２ｃが複雑に交差しているような状態の場合には、直ちに図形３１を指示することができないので、このような時には、ＣＲＴ１１の画面上部にあるメニューバー５０の属性アイテム５１をクリックすると、プルダウンメニュー６０がＣＲＴ１１に表示され、このプルダウンメニュー６０には、各アイテム６０ａ〜６０ｄが設定されており、各アイテム６０ａ〜６０ｄは、線種、線幅、面種、図形を示す属性アイテムを構成しており、提示されたこれらのアイテム６０ａ〜６０ｄの何れかをクリックすると、各アイテム６０ａ〜６０ｄの下位に展開される細項目属性を選択するためのサブメニューがＣＲＴ１１に表示され、この表示された細項目属性をポインティングデバイス１６を用いてクリックすると、選択されたされた細項目属性が反転表示され、かつ選択状態を示すチェックマーク８０〜８３が付加表示され、以下同様にして、図形に関する全ての属性の選択が終了すると、システムは、指定属性と一致した図形だけを選択し指定された属性を有する図形を特定する図形情報処理方法およびその装置。」
　
３．対比
　本願発明と引用例１に記載された発明とを対比すると、引用例１に記載された「表示手段に表示された編集対象図形」は、本願発明の「オブジェクト」に相当することは、明らかである。
　
　そして、引用例１には、オペレータが所望する図形に対して編集操作を行う場合、メニューより編集アイコン４０をクリックすることにより編集が開始されるが、例えば、図形３１に隣接して複数の属性の異なる図形３２ａ〜３２ｃが複雑に交差しているような状態の場合には、直ちに図形３１を指示することができないので、このような時には、ＣＲＴ１１の画面上部にあるメニューバー５０の属性アイテム５１をクリックすると、プルダウンメニュー６０がＣＲＴ１１に表示され、このプルダウンメニュー６０には、各アイテム６０ａ〜６０ｄが設定されており、各アイテム６０ａ〜６０ｄは、線種、線幅、面種、図形を示す属性アイテムを構成しており、提示されたこれらのアイテム６０ａ〜６０ｄの何れかをクリックすると、各アイテム６０ａ〜６０ｄの下位に展開される細項目属性を選択するためのサブメニューがＣＲＴ１１に表示され、この表示された細項目属性をポインティングデバイス１６を用いてクリックすると、選択されたされた細項目属性が反転表示され、かつ選択状態を示すチェックマーク８０〜８３が付加表示され、以下同様にして、図形に関する全ての属性の選択が終了すると、システムは、指定属性と一致した図形だけを選択し指定された属性を有する図形を特定することが記載されているから、本願発明と引用例１に記載された発明とは、
（一致点）
　「画面上でオブジェクトを選択するオブジェクト選択装置において、
　画面上に表示された複数のオブジェクトのうちから、指定された属性のオブジェクトを選択する手段を備えたオブジェクト選択装置。」
である点で一致し、次の点で相違する。
　
（相違点）
　本願発明が、画面上に表示された複数のオブジェクトのうちから、指定された属性のオブジェクトを選択可能状態にする手段と、上記選択可能状態にされたオブジェクトのうちから１つを選択する手段とを備えているのに対して、
　引用例１に記載された発明は、画面上に表示された複数の図形（オブジェクトに相当）のうちから、指定された属性の図形を選択する手段を有するものではあるが、複数のオブジェクトのうちから、指定された属性のオブジェクトを選択可能状態にする手段を有するとは明記しない点。
　　
４．当審の判断
　前記相違点について判断するに、
(i)市役所や区役所の職員が、氏名、住所、年齢、性別、職業等の複数のキーの内から、適切な所定数のキーを用いて、原簿に登録されている多数のファイル（例えば、住民票）の内から一覧状態で閲覧できるだけのものを選択し、該一覧表示された該当ファイルの内から所望の１つをクリックして選択し、該選択したファイルの内容を表示して確認することは、良く目にする光景であり、また、情報処理の検索業務等に携わるオペレータが、適当なキーを用いることにより、多数のファイルを格納したデータベースの中から、一覧で閲読できるだけのファイルを選択し、該一覧表示された該当ファイルの中から、所望の１つを選択しその内容を表示して閲読することも、通常良く行われていることである。このように、複数のオブジェクトすなわち対象物のうちから、指定された属性のオブジェクトを選択可能状態にし、選択可能状態にされたオブジェクトのうちから１つを選択することは、当業者の技術常識である。
(ii)そして、引用例１にも、属性を入力することにより選択された複数の図形から
所望の図形のみを特定する
同時に複数特定する
　以上のことに鑑みると、上記の周知技術事項を、引用例１に記載された発明に適用して、本願発明の如く構成することは、当業者が適宜なし得ることであり、また、その奏する効果の程も当業者が容易に予測できる範囲内のことである。
　
５．むすび
　以上のとおり、本願発明は、引用例１に記載された発明及び周知技術に基いて当業者が容易に発明をすることができたものであるから、特許法第２９条第２項の規定により特許を受けることができないものであるから、他の請求項について検討するまでもなく、本願は拒絶すべきものである。
　よって、結論のとおり審決する。